(57)【要約】【課題】オリジナル原稿に対して消色インクにより書き込まれた描画画像を抽出して表示することにより、消色インクによる書き込み内容を認識できるようにする。【解決手段】原稿読取装置１は、原稿画像を読み取って画像データを生成するスキャナ部（画像読取部）（３０２）と、原稿を加熱する第１および第２ヒータ（９１，９２）と、第１および第２ヒータ（９１，９２）による加熱を行わずにスキャナ部（３０２）で読み取った画像データと、第１および第２ヒータ（９１，９２）による加熱を行ってスキャナ部（３０２）で読み取った画像データとを比較して、加熱により変性して消色する着色材料により描画された描画画像データを抽出する画像データ抽出部（３１３）と、画像データ抽出部（３１３）が抽出した描画画像データを、所定の表示装置に出力可能とした画像データ出力部（３１４）と、を有する。【選択図】図２
2016082412.tif 000002
【特許請求の範囲】
【請求項１】
原稿画像を読み取って画像データを生成する画像読取部を備えた原稿読取装置であって、
原稿を加熱するヒータと、
該ヒータによる加熱を行わずに前記画像読取部で読み取った画像データと、前記ヒータによる加熱を行って前記画像読取部で読み取った画像データとを比較して、加熱により変性して消色する着色材料により描画された描画画像データを抽出する画像データ抽出部と、
前記画像データ抽出部が抽出した描画画像データを、所定の表示装置に出力可能とした画像データ出力部と、を有することを特徴とする原稿読取装置。
【請求項２】
請求項１に記載の原稿読取装置において、
画像データ出力部は、前記ヒータによる加熱を行って前記画像読取部で読み取った画像データと、前記画像データ抽出部が抽出した描画画像データとを明示的に区別可能に表示できる形式で前記表示装置に出力する、ことを特徴とする原稿読取装置。
【請求項３】
請求項１に記載の原稿読取装置において、
該画像読取り装置に対する操作入力を可能とする操作入力部を有し、
前記画像データ出力部は、前記操作入力部に対する操作入力に従って、
前記画像データ抽出部が抽出した描画画像データを前記表示装置に出力するモードと、前記ヒータによる加熱を行って前記画像読取部で読み取った画像データを前記表示装置に出力するモードとを切り替える、ことを特徴とする原稿読取装置。
【請求項４】
請求項１〜３のいずれか１に記載の原稿読取装置において、
前記画像データ出力部は、描画画像データ出力部が前記表示装置に出力した画像データに基づき、該表示装置で表示される画像を画像形成するための画像形成用データを生成し、所定の画像形成装置に出力する、ことを特徴とする原稿読取装置。
【請求項５】
請求項１〜４のいずれか１に記載の原稿読取装置において、
前記ヒータは、前記画像読取部より上流側の原稿搬送路に配置され、
前記画像データ抽出部が前記描画画像データの抽出を行う際に、前記画像読取部は、同一の原稿を２回連続して読み取る動作を行い、
１回目の原稿画像の読み取り時には、前記ヒータによる加熱を行わずに原稿画像を読み取り、２回目の原稿画像の読み取り時には、前記ヒータによる加熱を行って原稿画像を読み取ることを特徴とする原稿読取装置。
【請求項６】
請求項１〜４のいずれか１に記載の原稿読取装置において、
前記ヒータは、前記画像読取部より下流側の原稿搬送路に配置され、
前記画像データ抽出部が前記画像データの抽出を行う際に、前記画像読取部は、同一の原稿を２回連続して読み取る動作を行い、
１回目の原稿読取時に、原稿画像を読み取った後、前記ヒータによる加熱を行い、該ヒータにより加熱を行った原稿画像を２回目の原稿読取時に読み取ることを特徴とする原稿読取装置。
【発明の詳細な説明】
【技術分野】
【０００１】
本発明は、原稿読取装置、より詳細には、加熱により消色するインキを用いた原稿画像を読み取って表示できるようにした原稿読取装置に関する。
【背景技術】
【０００２】
温度変化により有色から無色に変化する消色インクが知られている。消色インクは、例えば感温変色性の顔料を含有し、加熱することにより有色状態から無色状態に変化する。消色インクを利用したペンでは、そのペンを用いて書いた筆跡を専用ラバーで擦ることにより、摩擦熱によりインキを加熱して消色し、筆跡を消すことができる。消色インクの技術は、例えば特許文献２に開示されている。
【０００３】
原稿から画像データを読み取る原稿読取装置において、消色インクを用いて原稿の所望の領域を指定し、指定した領域内に所定の処理を行う技術が特許文献１に開示されている。特許文献１の原稿読取装置は、原稿搬送路中で原稿を加熱するヒータを備え、ヒータによる加熱を行わずに画像読取部で読み取った画像データと、加熱を行って画像読取部で読み取った画像データとを比較することで、加熱により変性して消色する着色材料により描画された描画画像データを抽出する。そして抽出した描画画像データで囲まれた指定領域を判定し、その指定領域の画像データに対して文字認識処理を行い、文字認識部で認識された文字または文字列に応じて予め定められた動作を実行する。
【先行技術文献】
【特許文献】
【０００４】
【特許文献１】特開２００９−１１８３０９号公報
【特許文献２】特開２００６−６３２３８号公報
【発明の概要】
【発明が解決しようとする課題】
【０００５】
不揮発性のインクやトナーなどの消色性を有しない着色手段を用いて原稿画像が描画されているオリジナル原稿に対して、消色インクを用いて書込みを加えることが可能である。これにより、オリジナル原稿とは内容が異なる新たな文書を作成することができる。
このような消色インクで書き込みを加えられた文書を、何等かの目的に使用した後、消色インクを加熱して消去すれば、オリジナル原稿に書込みが加えられたことを認識することができない。
【０００６】
例えば、悪意を有する使用者が、消色インクを使用してオリジナル原稿を改ざんする書込みを行い、これを不正の目的で使用した後、書込みを加熱して消去してしまえば、その不正の目的により使用されたことを知ることができない。一例として、勤務表の出退勤時間、見積書の品名や単価、数量、金額など、委任状の内容、各種契約書類などは、通常は非消色性のボールペンなどを使用して記載し、書き換えることは許されない。これらの書類に対して、消色インクにより意図的に書込みを行い、これらの書類を使用した後、消色インクを消去してしまえば、書類の内容が悪用され得る。
オリジナル原稿に対して消色インクにより書込みが加えられたことを認識することができれば、このような不正の目的等の書き込みに対して対処することが可能となる。
【０００７】
本発明は、上述のごとき実情に鑑みてなされたもので、オリジナル原稿に対して消色インクにより書き込まれた描画画像を抽出して表示することにより、消色インクによる書き込み内容を認識できるようにした原稿読取装置を提供することを目的とする。
【課題を解決するための手段】
【０００８】
上記課題を解決するために、本発明の第１の技術手段は、原稿画像を読み取って画像データを生成する画像読取部を備えた原稿読取装置であって、原稿を加熱するヒータと、  該ヒータによる加熱を行わずに前記画像読取部で読み取った画像データと、前記ヒータによる加熱を行って前記画像読取部で読み取った画像データとを比較して、加熱により変性して消色する着色材料により描画された描画画像データを抽出する画像データ抽出部と、前記画像データ抽出部が抽出した描画画像データを、所定の表示装置に出力可能とした画像データ出力部と、を有することを特徴としたものである。
【０００９】
第２の技術手段は、第１の技術手段において、画像データ出力部が、前記ヒータによる加熱を行って前記画像読取部で読み取った画像データと、前記画像データ抽出部が抽出した描画画像データとを明示的に区別可能に表示できる形式で前記表示装置に出力する、ことを特徴としたものである。
【００１０】
第３の技術手段は、第１の技術手段において、該画像読取り装置に対する操作入力を可能とする操作入力部を有し、前記画像データ出力部は、前記操作入力部に対する操作入力に従って、前記画像データ抽出部が抽出した描画画像データを前記表示装置に出力するモードと、前記ヒータによる加熱を行って前記画像読取部で読み取った画像データを前記表示装置に出力するモードとを切り替える、ことを特徴としたものである。
【００１１】
第４の技術手段は、第１〜３のいずれか１の技術手段において、前記画像データ出力部は、描画画像データ出力部が前記表示装置に出力した画像データに基づき、該表示装置で表示される画像を画像形成するための画像形成用データを生成し、所定の画像形成装置に出力する、ことを特徴としたものである。
【００１２】
第５の技術手段は、第１〜４のいずれか１の技術手段において、前記ヒータは、前記画像読取部より上流側の原稿搬送路に配置され、前記画像データ抽出部が前記描画画像データの抽出を行う際に、前記画像読取部は、同一の原稿を２回連続して読み取る動作を行い、１回目の原稿画像の読み取り時には、前記ヒータによる加熱を行わずに原稿画像を読み取り、２回目の原稿画像の読み取り時には、前記ヒータによる加熱を行って原稿画像を読み取ることを特徴としたものである。
【００１３】
第６の技術手段は、第１〜４のいずれか１の技術手段において、前記ヒータは、前記画像読取部より下流側の原稿搬送路に配置され、前記画像データ抽出部が前記画像データの抽出を行う際に、前記画像読取部は、同一の原稿を２回連続して読み取る動作を行い、１回目の原稿読取時に、原稿画像を読み取った後、前記ヒータによる加熱を行い、該ヒータにより加熱を行った原稿画像を２回目の原稿読取時に読み取ることを特徴としたものである。
【発明の効果】
【００１４】
本発明によれば、オリジナル原稿に対して消色インクにより書き込まれた描画画像を抽出して表示することにより、消色インクによる書き込み内容を認識できるようにした原稿読取装置を提供することができる。
【図面の簡単な説明】
【００１５】
【図１】本発明に係る原稿読取装置の一実施形態を説明するための概略構成図である。
【図２】原稿読取装置の一実施形態における電気的構成の主要部を概略的に示すブロック図である。
【図３】消色インクによる描画データを抽出して表示させる処理を説明するための図である。
【図４】本発明の原稿読取装置における動作の実行処理の一例を説明するためのフローチャートである。
【図５】本発明に係る原稿読取装置の他の実施形態を説明するための概略構成図である。
【図６】本発明に係る原稿読取装置の更に他の実施形態を説明するための概略図である。
【発明を実施するための形態】
【００１６】
（実施形態１）
図１は、本発明に係る原稿読取装置の一実施形態を説明するための概略構成図である。本実施形態の原稿読取装置１は、複写機（図示せず）の上部に設けられるもので、主として第２画像読取部５０を収容するＡＤＦ（Auto Document Feeder；自動原稿送り装置）１００と、第１画像読取部１０を収容する主走査部２００とから構成されている。ＡＤＦ１００は図示しないヒンジの回動によって主走査部２００に対して開閉可能となっている。
【００１７】
主走査部２００は、主として筐体３０と、透明なガラス板からなるプラテン板４０と、筐体３０内に収容される第１画像読取部１０とから構成されている。第１画像読取部１０は、光源１１および第１ミラー１２ａを保持する光源ユニット２１と、第２ミラー１２ｂおよび第３ミラー１２ｃを保持するミラーユニット２２と、レンズ１３と、ＣＣＤ１４とから構成された縮小光学系の画像読取部である。
【００１８】
主走査部２００は、プラテン板４０上にユーザにより載置された原稿画像の読み取りを行う原稿固定方式による画像読み取りと、ＡＤＦ１００によって自動的に原稿を搬送しながら原稿画像を読み取る原稿移動方式の両方式に対応している。
原稿固定方式によって原稿画像を読み取る場合、光源ユニット２１とミラーユニット２２は、原稿固定方式に対応したホームポジションにそれぞれ移動する。図１は、これら光源ユニット２１とミラーユニット２２とがホームポジションにある状態を示している。
そしてその後、光源ユニット２１が原稿に対して光を照射しながら一定の速度で副走査方向（紙面に対して左右方向）に移動して原稿の画像を走査し、それと同時にミラーユニット２２が同じく副走査方向に移動する。
【００１９】
光源ユニット２１から照射され原稿から反射した光は、光源ユニット２１に設けられた第１ミラー１２ａで反射した後、ミラーユニット２２が備える第２および第３ミラー１２ｂ，１２ｃによって１８０°光路変換される。そして第３ミラー１２ｃで反射された光はレンズ１３を介してＣＣＤ１４に結像し、電気的な画像データに変換される。
【００２０】
原稿移動方式によって原稿画像を読み取る場合、光源ユニット２１およびミラーユニット２２は、図１に示される状態のホームポジションに静止したまま、ＡＤＦ１００によって搬送され、ホームポジションの上部を通過する原稿に対して、光源１１からの光を走査する。そして原稿の表面で反射した光は、上述の原稿固定方式と同様に、第１ミラー１２ａによって反射した後、ミラーユニット２２の第２および第３ミラー１２ｂ，１２ｃによって１８０°光路変換され、レンズ１３を介してＣＣＤ１４に結像し、電気的な画像データに変換される。
【００２１】
図１に示されるように、ＡＤＦ１００は、主として原稿載置台１０１に載置された原稿を１枚ずつＡＤＦ１００の内部へ呼び込む呼び込みローラ７０と、呼び込まれた原稿を原稿搬送路Ｆに沿って搬送する複数対の搬送ローラ７１ａ，７１ｂと、給紙タイミングを調節するレジストローラ７２と、画像読み取りを終えた原稿を排紙トレイ１０２へ排出する排紙ローラ７３とから構成されている。そしてユニット化された第２画像読取部５０が略Ｕ字状に弧を描く原稿搬送路Ｆ内に収まるように配設されている。
【００２２】
第２画像読取部５０は、第１ミラー５２ａ、第２ミラー５２ｂ、第３ミラー５２ｃ、第４ミラー５２ｄ、レンズ５３およびＣＣＤ５４から構成された縮小光学系の画像読取手段であり、これらの各要素は１つの集合体をなすようにユニット化されてユニット用筐体６０に収容されている。なお、第２画像読取部５０において、光源５１、レンズ５３、およびＣＣＤ５４は、第１画像読取部１０を構成する各要素と同一のものである。
【００２３】
第２画像読取部５０は、ユーザから両面読み取りの要求がなされた際に、原稿搬送路Ｆを搬送される原稿の裏面側の画像を読み取る。具体的には、第１画像読取部１０によって原稿の表面側の画像が読み取られた後、その原稿は原稿搬送路Ｆに沿って排紙トレイ１０２へ向けて搬送される。そしてことのきに、原稿は第２画像読取部５０の光源５１の下部を通過する。
【００２４】
その際に第２画像読取部５０の光源５１は、原稿の裏面側へ向けて光を照射する。そして原稿の裏面から反射された光は、ガラス等の透明部材で形成された読取窓５５を通過し、第１〜第４ミラー５２ａ，５２ｂ，５２ｃ，５２ｄによって順次光路変換され、レンズ５３を介してＣＣＤ５４に結像し、電気的な画像データに変換される。
また、ＡＤＦ１００の下面は、主走査部２００のプラテン板４０上に載置された読み取り原稿を上から押さえる押え板８０となっている。この押え板８０は、第１画像読取部１０の光源１１に対峙する部分が開放可能な蓋体８１となっている。
【００２５】
本発明に係る実施形態の特徴として、ＡＤＦ１００の搬送路中には、第１ヒータ９１および第２ヒータ９２よりなるヒータユニット９０が設けられている。これら第１および第２ヒータ９１，９２は、オリジナル原稿に書き込まれた消色インクを消去するために設けられているもので、第１ヒータ９１により原稿の表面の消色インクを消去し、第２ヒータ９２により原稿の裏面の消色インクを消去する。これら第１ヒータ９１および第２ヒータ９２は、第１画像読取部１０および第２画像読取部５０よりも上流側の搬送路に配置され、その搬送路を挟んで互いに対向して配置している。これにより熱が分散することなく、原稿を表裏から効率良く加熱することができるようになっている。
【００２６】
図２は、原稿読取装置の一実施形態における電気的構成の主要部を概略的に示すブロック図である。
本実施形態の原稿読取装置１は、主として制御部３０１、スキャナ部３０２、画像処理部３０３、記憶部３０４、通信部３０５、操作表示部３０６、原稿走査部駆動モータ３０７ａを駆動制御するドライバ３０７、原稿搬送ローラ駆動モータ３０８ａを駆動制御するドライバ３０８、第１ヒータ９１とこれを駆動するドライバ３０９、第２ヒータ９２とこれを駆動するドライバ３１０とを備えている。
【００２７】
制御部３０１は、装置全体の動作制御を管理する部分であり、ＣＰＵ（Central Processing Unit）、ＲＯＭ（Read Only Memory）、ＲＡＭ（Random Access Memory）等によって構成されている。制御部３０１は、加熱により変性して消色する着色材料により描画された描画画像データを抽出する画像データ抽出部３１３と、画像データ抽出部３１３が抽出した描画画像データを、所定の表示装置に出力可能とした画像データ出力部３１４の機能を実現する。所定の表示装置とは、本原稿読取装置１が備える表示部３１１、もしくは原稿読取装置１の外部に接続されるコンピュータやディスプレイなどの表示装置である。
【００２８】
また、画像データ出力部３１４は、その画像データ出力部３１４が表示装置に出力した画像データに基づき、表示装置で表示される画像を画像形成するための画像形成用データを生成し、所定の画像形成装置に出力する機能を有する。すなわち所定の表示装置で表示させる画像を、プリンタなどの画像形成装置で画像形成させるための画像形成用データを生成して出力することができる。
【００２９】
スキャナ部３０２は、図１に示す第１および第２画像読取部１０，５０の走査光学系を構成する。第１および第２画像読取部１０，５０の各ＣＣＤ１４，５４は、上記説明では光学縮小方式のＣＣＤ（Charge Coupled Devices）としているが、等倍光学方式のＣＩＳ（Contact Image Sensor）でもよい。本発明の画像読取部は、スキャナ部３０２により実現される。
【００３０】
画像処理部３０３は、第１画像読取部１０または第２画像読取部５０で読み取った光学データを、ページ単位で電気的な画像データに変換する。
記憶部３０４は、例えばＲＡＭ、ＥＥＰＲＯＭ（Electrically Erasable Programmable Read-Only Memory）、ハードディスクなどで構成され、制御部３０１によって制御される制御中のデータや、入力された各種指示内容、およびスキャナ部３０２で読み取った原稿の画像データ等を記憶する。
【００３１】
通信部３０５は、原稿読取装置１に対して通信回線を介して接続される外部機器２との間で通信を行うインタフェースを構成する。通信部３０５は、制御部３０１の画像データ抽出部３１３により出力された画像データを所定の外部機器２に送信する。画像データを送信する外部機器２は、例えばコンピュータやモニタなどの所定の表示装置で、外部機器２では、原稿読取装置１から出力された画像データをその表示画面に表示させる。
また、外部機器２として、プリンタなどの画像形成装置を接続することができる。外部接続されるプリンタは、原稿読取装置１と一体的に構成されたコピー機や複合機（ＭＦＰ（Multifunction Peripheral/Printer）の画像形成部であってもよい。
【００３２】
また、通信部３０５は、電話回線に接続し、スキャナ部３０２で読み取った原稿画像データをＦＡＸ通信により送信可能とし（ＳＣＡＮ ｔｏ ＦＡＸ）、また、スキャナ部３０２で読み取った原稿画像データのＥメールによる送信（ＳＣＡＮ ｔｏ Ｅｍａｉｌ）を可能とする。
【００３３】
操作表示部３０６は、画像読取装置１において各種情報等を表示する表示部３１１と、ユーザが原稿読取装置１に対して各種動作指示や設定等を入力可能な操作入力部３１２とを含んで構成される。操作表示部３０６は、タッチパネルとして構成することができる。操作表示部３０６の表示部３１１は、画像データ抽出部３１３が抽出した抽出画像データや、スキャナ部３０２で取得された加熱前後の原稿画像データを適宜表示させることができる。表示部３１１は、本発明の所定の表示装置の一例を構成する。
【００３４】
原稿走査部駆動モータ３０７ａは、原稿固定方式によって原稿画像を読み取る場合に、光源ユニット２１およびミラーユニット２２を適宜の速度で副走査方向に移動させるためのモータであり、制御部３０１の制御に従って、ドライバ３０７により適宜駆動制御される。
原稿搬送ローラ駆動モータ３０８ａは、原稿搬送路Ｆに配置された呼び込みローラ７０、搬送ローラ７１、レジストローラ７２、排紙ローラ７３などの各ローラを駆動するモータであり、制御部３０１の制御に従って、ドライバ３０８により適宜駆動制御される。
【００３５】
第１ヒータ９１は、制御部３０１の制御に従って、ドライバ３０９によりｏｎ／ｏｆｆが制御される。同様に第２ヒータ９２は、制御部３０１の制御に従って、ドライバ３１０によりｏｎ／ｏｆｆが制御される。
【００３６】
本実施形態において、制御部３０１の画像データ抽出部３１３は、ヒータユニット９０（第１ヒータ９１、第２ヒータ９２のいずれかまたは両方）による加熱を行わずにスキャナ部３０２で読み取った画像データと、上記ヒータユニット９０による加熱を行ってスキャナ部３０２で読み取った画像データとを比較して、加熱により変性して消色する着色材料（消色インク）により描画された描画画像データを抽出する。
画像データ出力部３１４は、画像データ抽出部３１３により抽出された描画画像データを所定の表示装置、例えば原稿読取装置１が備える表示部３１１、もしくは原稿読取装置１に外部機器２として接続されるコンピュータやモニタなどの表示装置に出力可能とする。
【００３７】
上記の処理を可能とするために、原稿読取装置１には、消色インクを加熱して消色するためのヒータユニット９０が設けられている。これを使用して消色インクで描画された描画画像データを抽出するために、原稿をスキャナ部３０２で２回読み取る処理を行う。
図１により説明すると、１回目の読み取り時には、原稿載置台１０１に原稿（オリジナル原稿）を載置し、搬送路Ｆを通して搬送する。このときにヒータユニット９０をＯｆｆにして原稿に加熱を行なわずに、第１画像読取部１０または、第１および第２画像読取り部１０，５０により原稿画像を読み取る。第１画像読取部１０と第２画像読取部５０は、原稿画像の片面を読み取る場合と、両面を読み取る場合で使い分ける。
【００３８】
そして排紙トレイ１０２に排紙された原稿を再度原稿載置台１０１に載置し、搬送路Ｆを搬送させる。このときにヒータユニット９０をＯｎにし、画像を読み取る面を加熱する。これにより、消色インキで描画された画像は消去される。そして消色インキが消去された原稿画像は、第１画像読取部１０または、第１および第２画像読取り部１０，５０により読み取られる。１回目の読み取り画像と、２回目の読み取り画像は、図２に示す記憶部３０４に記憶される。
【００３９】
図２の画像データ抽出部３１３は、記憶部３０４に記憶されているヒータによる加熱を行わずに読み取った１回目の画像データと、ヒータによる加熱を行って読み取った２回目の画像デーアとを比較して、加熱により変性して消色する着色材料により描画された描画画像データを抽出する。そして画像データ出力部３１４は、画像データ抽出部３１３が抽出した描画画像データを、所定の表示装置に出力可能とする。
【００４０】
本実施形態では、画像データ出力部３１４は、画像データ抽出部３１３による抽出結果に基づいて、複数の態様で表示用の画像データを出力することができる。
まず、上記のように画像データ抽出部３１３が抽出した描画画像データ自体を表示装置に出力することができる。この場合、表示装置では、消色インクで描画された描画画像のみを表示させることができ、これを視認するユーザは、オリジナル原稿に対してどのような内容が書き加えられたかを認識することができる。
【００４１】
他の例では、画像データ抽出部３１３は、ヒータユニット９０により加熱を行って、スキャナ部３０２で読み取った画像データを表示装置に出力することができる。この場合、消色インクが消去されたオリジナル原稿の画像を表示装置に表示させることができる。
原稿読取装置では、上記の消色インクによる描画像データの表示モードと、オリジナル原稿の画像データの表示モードとを、操作入力部３１２に対するユーザ操作に従って切り替えるようにすることができる。
【００４２】
さらに画像データの他の表示方法として、画像データ出力部３１４は、ヒータユニット９０による加熱を行ってスキャナ部３０２で読み取った画像データ（オリジナル原稿の画像データに相当）と、画像データ抽出部３１３が抽出した描画画像データとの両方を合成した状態で出力し、オリジナル原稿に対して消色インクにより書込みが加えられた状態で表示させるようにする。
【００４３】
このときに、画像データ出力部３１４は、オリジナル原稿の画像データと、消色インクにより書き込まれた描画画像データを表示画面上で明示的に区別可能に表示できる形式で表示装置に出力する。例えば、オリジナル原稿の画像データの表示色に対して、消色インクにより書き込まれた描画画像データの表示色を異ならせて、これらを明示的に区別可能に表示させるようにすることができる。あるいは、消色インクにより書き込まれた描画画像データを囲む表示や、これを強調する表示等を適宜行わせるようにすることができる。
これにより、これを視認するユーザは、オリジナル原稿に対してどのような内容が書き加えられたかを容易に認識することができる。
【００４４】
また、画像データ出力部３１４は、当該画像データ出力部３１４が所定の表示装置に出力した画像データに基づき、表示装置で表示される画像を画像形成するための画像形成用データを生成し、プリンタなどの所定の画像形成装置に出力することができる。画像形成装置に送信する画像形成用データは、プリンタなどの画像形成装置が解釈し、記録紙などの記録媒体にトナーやインクによる画像形成を実行することができるデータである。表示装置に表示させる画像を画像形成装置で画像形成することにより、オリジナル原稿に対してどのような内容が書き加えられたかを、記録紙などの記録媒体上によってユーザが認識することができる。
【００４５】
図３は、消色インクによる描画データを抽出して表示させる処理を説明するための図である。対象となる原稿１１０は、非消色性のインク等によって画像形成されたオリジナル  原稿に対して、消色性のインクによる書込みが加えられている可能性がある。この例では、原稿１１０には、“ＡＢＣＤＥＦＧＨＩＪＫＬ”との文字が記載されている。
この原稿１１０を、ヒータユニット９０による加熱を行わずに、スキャナ部３０２によって１回目の画像読取りを行う。画像データ１１１は、１回目に読み取った画像データを示す。１回目の画像データ１１１は、原稿１１０に記載されていた“ＡＢＣＤＥＦＧＫＩＪＫＬ”の文字を含んでいる。
【００４６】
そして、ヒータユニット９０を加熱して、スキャナ部３０２により２回目の画像読取りを行う。画像データ１１２は、２回目に読み取った画像データを示す。２回目の画像データ１１２は、“ＡＢＣＤＥＪＫＬ”の文字を含んでいる。これら画像データ１１１、１１２は記憶部３０４に一時的に記憶される。
画像データ抽出部３１３は、記憶部３０４に記憶された画像データ１１１と画像データ１１２を比較し、差分を抽出する。画像データ１１３は、差分の画像データである。差分は、加熱した結果、消えた画像の画像データであり、この画像データは、消色インクにより書き込まれたものに相当する。
【００４７】
画像データ出力部３１４は、抽出された画像データ１１３に基づいて、画像データ１１３を表示装置に出力し、あるいは、オリジナル原稿画像を示す画像データ１１２を表示装置に出力することができる。また画像データ１１２と画像データ１１３とを合成して出力し、このとき画像データ１１２と画像データ１１３との表示色を変えるなど、明示的に区別可能な形式で画像データを出力することができる。
また、画像データ出力部３１４によって、表示装置に出力した画像をプリンタなどの画像形成装置で画像形成するための画像形成用データを出力することができる。
【００４８】
図４は、本発明の原稿読取装置における動作の実行処理の一例を説明するためのフローチャートである。原稿読取装置１は１回目の原稿画像の読み取り指示を待つ（ステップＳ１）。原稿画像の読み取り指示は、ユーザが原稿載置台１０１に原稿をセットして、原稿読取装置１のスタートボタンをオンすることで実行することができる。
そして原稿読取装置１では、１回目の原稿画像の読み取りが指示された場合には（ステップＳ１−ＹＥＳ）、原稿を搬送しながら原稿画像を読み取り、読み取った画像データを記憶する（ステップＳ２）。
【００４９】
１回目の原稿画像の読み取りが終了した後、２回目の原稿画像の読み取り指示を待つ（ステップＳ３）。この場合も同様に、ユーザが原稿を原稿載置台１０１に再度セットして、原稿読取装置１のスタートボタンをオンすることより読み取りを指示する。
原稿読取装置１では、２回目の原稿画像の読み取りが指示された場合には（ステップＳ３−ＹＥＳ）、ヒータをオンにする（ステップＳ４）。このとき原稿読取装置１が片面読み取りモードに設定されている場合には、第１ヒータ９１のみをオンにし、両面読み取りモードに設定されている場合には、第１ヒータ９１および第２ヒータ９２をオンにする。
【００５０】
そして原稿読取装置１では、原稿画像を読み取り、読み取った画像データを記憶する（ステップＳ５）。このとき原稿の搬送速度を低下させることで、ヒータによる加熱時間を確保し、原稿を十分に加熱させるようにしてもよい。
また、原稿画像を読み取るページ番号が予め指定されている場合には、原稿読取装置１は、指定されたページ番号を記憶するとともに、原稿を一枚搬送するごとにページ番号をカウントして、予め指定されたページが搬送されるときにヒータをオンにし、指定されたページの画像読み取りが終了した時点でヒータをオフにするような制御を行ってもよい。このような制御は、複数ページを指定してその指定ページについて描画画像データの抽出処理を行う場合にも適用できる。この制御によって消費電力を節約することができる。
【００５１】
そして原稿読取装置１の画像データ抽出部３１３では、２回目の原稿画像の読み取りが完了した後、１回目と２回目の画像データを比較し、差分を抽出する（ステップＳ６）。差分は、消色インクによる描画部分の画像データである描画画像データである。
ここでは、消色インクによる描画部分を含んだ原稿の画像データを１回目の画像読み取りで読み取ることができ、また２回目の画像読み取りでは、ヒータをオンにすることで消色インクが消去された原稿の画像データを読み取ることができる。そしてこれらの画像データを比較して差分を抽出することにより、消色インクによる描画部分の画像データ（描画画像データ）を抽出することができる。画像データ抽出部３１３が抽出した描画画像データは、記憶部３０４に記憶される。
【００５２】
そして原稿読取装置１は、表示装置に表示すべき画像データを、オリジナル原稿の画像データとするか、画像データ抽出部３１３が抽出した描画画像データとするかを選択する（ステップＳ７）。ここでは、原稿読取装置１は、所定の表示装置に表示させる画像データとして、オリジナル原稿の画像データを表示するモードと、画像データ抽出部３１３が抽出した描画画像データを表示するモードとがユーザ操作によって選択可能となっている。オリジナル原稿の画像データとは、オリジナル原稿に対して消色インクで描画が加えられているときに、消色インクを加熱して消去した後、原稿から読み取った画像データである。従ってオリジナル原稿の画像データとは、ヒータユニット９０による加熱を行ってスキャナ部３０２で読み取った画像データとなる。
【００５３】
そして、原稿読取装置１の画像データ出力部３１４は、ステップＳ７で選択されたオリジナル原稿の画像データもしくは抽出画像データを、所定の表示装置に出力する（ステップＳ８）。所定の表示装置は、例えば原稿読取装置１が有する表示部３１１であり、あるいは原稿読取装置に外部接続される所定の表示装置であって、画像データ出力部３１４からの画像データ出力先として設定された表示装置である。表示装置は、原稿読取装置１から出力された画像データを、その表示デバイスで表示できる形式に変換して表示させる。
【００５４】
そして原稿読取装置１では、選択された画像データに対して所定の処理（コピー、ＦＡＸ送信、ＳＣＡＮ ＴＯ Ｅｍａｉｌ等）を実行する。所定の処理は、ユーザ操作によって設定される。例えばユーザ操作によって、コピーなどの処理を選択し、原稿載置台１０１に原稿を載置してスタートボタンを押すことで、ステップＳ１の１回目の読み取り指示とすることができる。この場合、選択された画像データを所定の表示装置に表示させることにより、選択された画像データに対して上記所定の処理を実行する前のプレビュー表示を行わせることができる。
【００５５】
（実施形態２）
図５は、本発明に係る原稿読取装置の他の実施形態を説明するための概略構成図である。本実施形態の原稿読取装置は、第１ヒータ９１および第２ヒータ９２よりなるヒータユニット９０を、原稿搬送路Ｆに沿って備えられた複数対の搬送ローラのうち、画像読取部（第１画像読取部１０，第２画像読取部５０）より下流側の搬送ローラ７１ｂに設けた構成となっている。
【００５６】
これら第１および第２ヒータ９１，９２は、上記実施形態１と同様に、オリジナル原稿に付加された消色インクを消すために設けられているもので、第１ヒータ９１により原稿の表面の消色インクを消去し、第２ヒータ９２により原稿の裏面の消色インクを消去する。
【００５７】
上記実施形態１では、１回目の原稿画像の読み取り時には、ヒータユニット９０による加熱を行わずに原稿画像を読み取り、２回目の原稿画像の読み取り時には、ヒータユニット９０による加熱を行って原稿画像を読み取るようにしていた。
これに対して図５の構成の原稿読取装置１では、１回目の原稿読取時には、原稿画像を読み取った後ヒータユニット９０による加熱を行って、原稿に付加された消色インクを消去する。これにより２回目の原稿読取時には、消色インクが消去された状態の原稿画像を読み取ることができる。２回目の原稿画像の読み取り時には、原稿画像を読み取った後のヒータユニット９０による加熱は必要ない。
【００５８】
そして実施形態１と同様に、画像データ抽出部３１３は、記憶部３０４に記憶されているヒータによる加熱を行わずに読み取った１回目の画像データと、ヒータによる加熱を行って読み取った２回目の画像データとを比較して、加熱により変性して消色する着色材料により描画された描画画像データを抽出する。そして画像データ出力部３１４は、画像データ抽出部３１３が抽出した描画画像データを、所定の表示装置に出力可能とする。ここでは画像データ出力部３１４は、オリジナル原稿の画像データ、もしくは抽出画像データを、所定の表示装置に出力することができる。また、オリジナル原稿の画像データと、消色インクにより書き込まれた描画画像データとを明示的に区別可能に表示できる状態で出力してもよい。また、画像データ出力部３１４によって、表示装置に出力した画像をプリンタなどの画像形成装置で画像形成するための画像形成用データを出力することができる。
【００５９】
本実施形態では、図５に示すヒータユニット９０の配置位置と、上記のようなヒータユニット９０の加熱制御を除いては、上記実施形態１と同様であるため、その繰り返しの説明は省略する。
【００６０】
（実施形態３）
図６は、本発明に係る原稿読取装置の更に他の実施形態を説明するための概略図で、原稿となる記録紙を循環させて繰り返し原稿画像を読み取ることができる循環式原稿搬送装置（ＲＤＨ）を備えた原稿読取装置の構成を示すものである。本発明の実施形態に係る処理は、図６示す原稿読取装置によっても実施可能である。
図６において、４００は原稿読取装置、４０１は給紙ローラ、４０２は返送用搬送路、４０３ａ，４０３ｂは返送ローラ、４０５は原稿、４０６は光源、４０７は原稿収納部、４０８は送り出しベルト、４０９ａ，４０９ｂは送り出しローラ、５００は結路、５０１は搬送路、５０２はモータ、５０３は原稿載置部、５０５は搬送ローラ、５０６はモータ、５０７は駆動ローラ、５０８は読取位置、５０９は搬送ベルト、６００は透明板、６０１は従動ローラ、６０２はモータである。また搬送路５０１には、第１ヒータ９１および第２ヒータ９２よりなるヒータユニット９０が設けられている。
【００６１】
原稿読取装置４００は、下取り上戻し方式の循環式原稿送給モード（ＲＤＨモード）と、手差しによる１枚毎セット方式の個別式原稿送給モード（ＳＤＦモード）との切換えが可能な装置に形成される。
ＲＤＨモードの場合は、原稿収納部となる原稿収納部４０７に積み重ねて収容された原稿４０５は、原稿収納部４０７の直下位置に設けられた送り出しベルト４０８によって最下位置の原稿４０５から順に送り出され、送り出しベルト４０８の下流側に設けられる一対の送り出しローラ４０９ａ，４０９ｂ間を通過して搬送路５０１を経て、搬送ローラ５０５によって搬送される。搬送ローラ５０５は、送り出しローラ４０９ａ，４０９ｂの下流側に設けられる搬送路５０１の直下方に配置され、モータ５０２によって回転駆動される。搬送ローラ５０５は、原稿４０５を反転させながら読取位置５０８に搬送する。
【００６２】
読取位置５０８に搬送された原稿４０５は、搬送ベルト５０９によって透明板６００に押付けられ、光源による露光領域で露光され、原稿画像が読み取られる。搬送ベルト５０９は、モータ５０６によって回転駆動される駆動ローラ５０７と、駆動ローラ５０７に対向して設けられる従動ローラ６０１との間に無端状に張架され、矢符の方向に回転される。
そして原稿画像が読み取られた原稿４０５は、搬送ベルト５０９によって搬送され、給紙ローラ４０１で反転搬送された後、返送用搬送路４０２および一対の返送ローラ４０３ａ，４０３ｂを経て、原稿収納部４０７における最上位置の原稿４０５上に戻される。この場合原稿４０５は、１回目に搬送される前と同じ面を上にして原稿収納部４０７に収納される。この動作を２回繰り返すことにより、原稿の同じ面の画像を２回繰り返して読み取ることができる。
【００６３】
また、搬送ローラ５０５を挟んで読取位置５０８と反対側の位置には、手差しで原稿４０５を１枚ずつ載置することができる原稿載置部５０３が設けられる。原稿載置部５０３はＳＤＦモードの送給時に用いられ、原稿載置部５０３に載置された１枚の原稿４０５が、搬送ローラ５０５によって搬送され、以後はＲＤＨモードの場合と同様の経路を巡って原稿収納部４０７に戻される。搬送ローラ５０５は、ＲＤＨモードの場合は原稿搬送の役割を成し、ＳＤＦモードの場合は原稿引込みの役割を成し、共用のローラとして機能している。ここでは、原稿載置部５０３に載置された原稿を搬送ローラ５０５で引き込んで、原稿の下面側の原稿画像を読み取って原稿収納部４０７に戻し、戻された原稿４０５を原稿収納部４０７から搬送して再度原稿画像を読み取ることにより、原稿の同じ面の画像を２回繰り返して読み取ることができる。
また、両面読取りモードの場合には、２回目の読み取り時に、搬送された原稿が位置Ａに達した時点で搬送ローラ５０５を反転させて、原稿収納部４０７で下面側になっている面の画像を読み取る。これにより原稿の両面の画像を読み取ることができる。
【００６４】
上記の構成により、原稿を循環させながら原稿の同じ面の画像を２回繰り返して読み取る処理を行うことができる。また、両面読取りモードを利用して、搬送ローラ５０５の反転動作を制御することにより、原稿の両面の画像をそれぞれ２回繰り返して読み取ることができる。
【００６５】
そして本実施形態では、実施形態１、２と同様に、ヒータユニット９０を使用して原稿を加熱し、ヒータによる加熱を行わない画像データと、ヒータにより加熱を行った画像データを記憶部３０４に記憶させる。ヒータユニット９０の各ヒータ９１，９２は、原稿の片面のみの画像を読み取るか、もしくは両面の画像を読み取るかによって使い分けることができる。また、常にいずれか一方の側で加熱を行うように制御する場合には、第１ヒータ９１と第２ヒータ９２のいずれか一方のみを配置してもよい。
【００６６】
また、ヒータユニット９０は、原稿収納部４０７から読取位置５０８までの間で、読取位置５０８よりも上流側の搬送路上に設けられるが、読取位置５０８から原稿収納部４０７の間の下流側に設けてもよい。原稿収納部４０７から読取位置５０８までの間の上流側の搬送路上にヒータユニット９０を設ける場合は、１回目の読み取り時には、ヒータユニット９０をＯｆｆにして画像読取りを行い、２回目の読み取り時にヒータユニット９０をＯｎにて画像読取りを行う。
また、読取位置５０８から原稿収納部４０７の間の下流側にヒータユニット９０を設ける場合には、１回目の読み取り時には、ヒータユニット９０をＯｎにして画像読取りを行い、２回目の読み取り時にヒータユニット９０をＯｆｆにして画像読取りを行う。
【００６７】
画像データ抽出部３１３は、記憶部３０４に記憶されているヒータによる加熱を行わずに読み取った１回目の画像データと、ヒータによる加熱を行って読み取った２回目の画像データとを比較して、加熱により変性して消色する着色材料により描画された描画画像データを抽出する。そして画像データ出力部３１４は、画像データ抽出部３１３が抽出した描画画像データを、所定の表示装置に出力可能とする。ここでは画像データ出力部３１４は、オリジナル原稿の画像データ、もしくは抽出画像データを、所定の表示装置に出力することができる。また、オリジナル原稿の画像データと、消色インクにより書き込まれた描画画像データとを明示的に区別可能に表示できる状態で出力してもよい。また、画像データ出力部３１４によって、表示装置に出力した画像をプリンタなどの画像形成装置で画像形成するための画像形成用データを出力することができる。
本実施形態では、原稿搬送路の構成を除いて実施形態１、２と同様の動作を行うため、上記本実施形態を特徴付ける部分を除いて、その繰り返しの説明は省略する。
【００６８】
上記の各実施形態で記載されている技術的特徴（構成要件）は、お互いに組み合わせ可能であり、組み合わせることにより、新しい技術的特徴を形成することができる。
【符号の説明】
【００６９】
１…原稿読取装置、２…外部機器、１０…第１画像読取部、１１…光源、１２ａ…ミラー、１２ｃ…ミラー、１２ｂ…ミラー、１３…レンズ、１４…ＣＣＤ、２１…光源ユニット、２２…ミラーユニット、３０…筐体、４０…プラテン板、５０…第２画像読取部、５１…光源、５２ａ…第１ミラー、５２ｂ…第２ミラー、５２ｃ…第３ミラー、５２ｄ…第４ミラー、５３…レンズ、５４…ＣＣＤ、５５…読取窓、６０…ユニット用筐体、７０…ローラ、７１…搬送ローラ、７１ａ…搬送ローラ、７１ｂ…搬送ローラ、７２…レジストローラ、７３…排紙ローラ、８０…押え板、８１…蓋体、９０…ヒータユニット、９１…第１ヒータ、９２…第２ヒータ、１００…ＡＤＦ、１０１…原稿載置台、１０２…排紙トレイ、１１０…原稿、１１１…画像データ、１１２…画像データ、１１３…画像データ、２００…主走査部、３０１…制御部、３０２…スキャナ部、３０３…画像処理部、３０４…記憶部、３０５…通信部、３０６…操作表示部、３０７…ドライバ、３０７ａ…原稿走査部駆動モータ、３０８…ドライバ、３０８ａ…原稿搬送ローラ駆動モータ、３０９…ドライバ、３１０…ドライバ、３１１…表示部、３１２…操作入力部、３１３…画像データ抽出部、３１４…画像データ出力部、４００…原稿読取装置、４０１…給紙ローラ、４０２…返送用搬送路、４０３ａ…返送ローラ、４０５…原稿、４０７…原稿収納部、４０８…送り出しベルト、４０９ａ…ローラ、５０１…搬送路、５０２…モータ、５０３…原稿載置部、５０５…搬送ローラ、５０６…モータ、５０７…駆動ローラ、５０８…読取位置、５０９…搬送ベルト、６００…透明板、６０１…従動ローラ。
【図１】
2016082412.tif 000003
【図２】
2016082412.tif 000004
【図３】
2016082412.tif 000005
【図４】
2016082412.tif 000006
【図５】
2016082412.tif 000007
【図６】
2016082412.tif 000008